(57)【要約】      （修正有）【課題】電柱又は柱等大型対象物においては、作業効率がよく密着性に富み、耐久性、対候性のあるものであって、撤去及び交換更新にも作業性をよくすることにある。又、小径の柱又は電線等小型対象物においては、長さ、場所等環境を問わず表面保護することが出来る接合収縮シートを提供する。【解決手段】加熱収縮性合成樹脂２を中央に配し、その両端末に無伸縮性合成樹脂３を配する構造で、加熱収縮性合成樹脂２と無伸縮性合成樹脂を合成接合した、加熱収縮性合成樹脂部２を長尺に又両端末の無伸縮性合成樹脂部を短尺のシートにする。【選択図】図１
2011063006.tif 000002
【特許請求の範囲】
【請求項１】
加熱収縮性合成樹脂原材料と無伸縮性合成樹脂原材料をシート状にする製造過程において、加熱収縮性合成樹脂を中央に配し、その両端末に無伸縮性合成樹脂を配する構造で、加熱収縮性合成樹脂と無伸縮性合成樹脂を合成接合した、加熱収縮性合成樹脂部を長尺に又両端末の無伸縮性合成樹脂部を短尺のシートである。
このシートの両端末の無伸縮性合成樹脂部は他の合成樹脂シートと溶着又接着し、円筒形を形成する。加熱収縮性合成樹脂部を加熱する事で収縮して対象物に密着出来る。
【請求項２】
規格化された対象物においては本シートも規格化して片側だけ接合すればよいように無伸縮性合成樹脂部の片側を規格化した寸法で合成接合しておく。
加熱収縮性合成樹脂部は対象物に応じて収縮率を異にする。加熱収縮性合成樹脂部を加熱する事で円筒形の形状が収縮し、対象物に密着する事を特徴とした、接合収縮シート。
【発明の詳細な説明】
【技術の分野】
【０００１】本発明では、電柱又は柱等大型対象物、及び小型形状にした接合収縮シートでは小径の柱又は電線等小型対象物の表面保護に、保護用ビニールシートを巻きつけ接合材として接合収縮シートの両端末と保護用ビニールシートを溶着又は接着材により接合を施し円筒形を形成する。接合収縮シートを加熱することで対象物に密着する事を特徴とする。
【背景技術】
【０００２】従来、電柱又は柱等大型対象物、及び小型形状の柱又は電線等小型対象物の表面保護には、電柱又は柱等大型対象物の場合、保護用ビニールシートに接着剤を塗布し貼り付けた。又は締め付けバンドで保護シートを押さえていた。
小型形状の柱又は電線等小型対象物の場合、収縮チューブが使用されていた。
【発明の開示】
【発明が解決しようとする課題】
【０００３】電柱又は柱等大型対象物の場合、長期に渡ると、接着剤で貼り付けたものは剥がれが出たり、バンドで押さえたものは、ズレが出たりした。【０００４】電柱又は柱等大型対象物の場合、大口径の収縮チューブの選択もあったが既存には挿入出来なかった。【０００５】小径の柱又は電線等小型対象物の場合、収縮チューブを使用していたが、施す範囲が少ない時、又は対象物が長尺には挿入出来ず、途中切断して挿入しなくてはならなかった。又障害物により範囲が限られている場合も使用不可能であった。【０００６】電柱又は柱等大型対象物の場合、交換更新時に剥がれにくかった。
又剥がした後も接着剤が残ったり、保護用ビニールシートの断片が残り取り除く清浄が必要であった。【０００７】本発明は、この様な点を鑑みてなされたものであり、その目的は電柱又は柱等大型対象物においては、作業効率がよく密着性に富み、耐久性、対候性のあるものであって、撤去及び交換更新にも作業性をよくすることにある。
又、小径の柱又は電線等小型対象物においては、長さ、場所等環境を問わず表面保護することが出来ることにある。
【課題を解決するための手段】
【０００８】上述の目的を達成する本発明の、接合収縮シートは、製造過程において加熱収縮性合成樹脂を中央に配し、その両端末に無伸縮性合成樹脂を配する構成で、加熱収縮性合成樹脂と無伸縮性合成樹脂を合成接合した、加熱収縮性合成樹脂部を長尺に又両端末の無伸縮性合成樹脂部を短尺のシートにする。
先ず、電柱又は柱等大型対象物に、対象物を巻き込む保護用ビニールシートと、接合収縮シートの両端末の無伸縮性合成樹脂部と溶着又は接着し、円筒形を形成する。加熱収縮性合成樹脂部を加熱すると円筒形の形状が収縮する事で対象物に密着させる。
小径の柱又は電線等小型対象物の場合、形状を収縮した同構造であって、規格化し、片端だけを溶着又は密着するものである。対象物に巻き込み接合収縮シートの各片端を溶着又は接着して円筒形の形状を形成し、加熱収縮性合成樹脂部を加熱して収縮させて対象物に密着する。以上の事を特徴とする。
【発明の効果】
【０００９】本発明は、製造過程で加熱収縮性合成樹脂と無伸縮性合成樹脂を合成接合する事で、収縮部が収縮以前に収縮しない構造としている。形状は、大口径又は大型対象物と小口径又は小型対象物を設け、いずれも、規格化したものと、規格外とする。
規格化したものは、接合収縮シートの加熱収縮性合成樹脂部を中央に配し、無伸縮性合成樹脂部を配した構造として、の片端に短尺ではなく、定尺切断したシートとし、一方の端末で溶着又は接着するものである。又規格外のものは、加熱収縮性合成樹脂部を中央に配し、両端に無伸縮性合成樹脂部を配した構造として、両端で他の巻き付けたビニールシートを溶着又は接着して円筒形を形成する。
対象物に巻きつけて、円筒形に形成すれば、収縮部を加熱して収縮させる事で、対象物に密着させることが出来る。この様な構造にすることによって、対象物の形状を問わずに、密着した表面保護が出来る。
【発明を実施するための最良の形態】
【００１０】以下、本発明の実施の形態を図面に基づき詳細に説明する。【００１１】図１〜図６本発明の実施の形態に係り、図１は大口径又は大型の対象物に係る接合収縮シートの斜視図、図２は大口径又は大型の対象物に係る接合収縮シートの断面図、図３は小口径又は小型の対象物に係る接合収縮シートの斜視図、図４は小口径又は小型の対象物に係る接合収縮シートの断面図、である。【００１２】図１〜図２に示す大口径又は大型の対象物に係る、接合収縮シート（１）は、加熱収縮性合成樹脂（２）の両端末に短尺の無伸縮性合成樹脂（３）を合成接合したものである。無伸縮性合成樹脂（３）は対象物を挟み込むように二重構造になったものである。加熱収縮性合成樹脂（２）の材質は弾性ポリオレフィンを主原材料とし、配合量によって収縮率を異にする事が出来る。この両端末の短尺の無伸縮性合成樹脂（３）は、材質を肉厚弾性塩化ビニルを主原材料としたもので、収縮性がなく高熱溶解するものである。
加熱収縮性合成樹脂（２）と短尺の無伸縮性合成樹脂（３）の合成接合は製造過程において、原料生成時に加熱収縮性合成樹脂（２）の両端末に、無伸縮性合成樹脂（３）を混合合成して成型する事によって接合する。短尺の無伸縮性合成樹脂（３）の二重構造は成型時に形成するものである。【００１３】図４〜図６に示す小口径又は小型の対象物に係る、接合収縮シート（１）は、大口径又は大型の対象物に係る接合収縮シートと原材料は同様であるが、片端が長尺の無伸縮性合成樹脂（５）で形成されている。この場合、合成接合部（４）は二重構造ではなく一重構造で加熱収縮性合成樹脂（２）と長尺の無伸縮性合成樹脂（４）が同じ肉厚で合成結合され成型されたものである。加熱収縮性合成樹脂（２）の対片端は短尺の無伸縮性合成樹脂（３）の二重構造は成型時に形成するものである。
【実施例】
【００１４】大口径又は大型の対象物に係る、接合収縮シートは、一定の規格した面積のものとする。例えば加熱収縮性合成樹脂部分を１０〜３０ｃｍ、両端末の短尺の無伸縮性合成樹脂部分を２〜３ｃｍで長さが８０〜１００ｃｍの面積をもつ接合収縮シート。対象物に表面保護を施すビニールシートの端末を、接合収縮シートの片端の接合部に挟み込み溶着又は接着する。片端を接合された接合収縮シートとビニールシートは巻き付け寸法に応じて、ビニールシートの片端を少し長めで切断する。これを対象物に巻き付けて、接合収縮シートとビニールシートのそれぞれの片端を合わせる。ビニールシートを接合収縮シートの接合部に挟み込み溶着又は密着する。これで円筒形を形成しチューブ状となる。加熱収縮性合成樹脂部分を１２０℃以上で加熱すると収縮を始め、対象物に密着する。【００１５】小口径又は小型の対象物に係る、接合収縮シートは、片端の無伸縮性合成樹脂部分の長さを、対象物の規格に沿った長さにする。例えば２ｃｍ、３ｃｍ、５ｃｍ、１０ｃｍとする。この場合、片端の接合は必要がないので、対象物に巻き付けて、ビニールシートを接合収縮シートの接合部に挟み込み溶着又は接着する。
これで円筒形を形成しチューブ状となる。加熱収縮性合成樹脂部分を１２０℃以上で加熱すると収縮を始め、対象物に密着する。
【産業上の利用可能性】
【００１６】本発明は、大口径又は大型の対象物にあっては、電柱の動物による尿害の防止。
違法チラシの防止及び抑制。透明のビニールシートを採用することで、宣伝広告ポスター等の表面保護。小口径又は小型の対象物にあっては、電線の切断部の表面保護又は多線の取り纏め。薄厚を採用すれば梱包材としても利用出来る。
【図面の簡単な説明】
【００１７】
【図１】接合収縮シートの大口径又は大型の対象物を目的とした斜視図である。
【図２】接合収縮シートの大口径又は大型の対象物を目的とした断面図である。
【図３】接合収縮シートの小口径又は小型の対象物を目的とした斜視図である。
【図４】接合収縮シートの小口径又は小型の対象物を目的とした断面図である。
【符号の説明】１．    接合収縮シート
２．    加熱収縮性合成樹脂部
３．    短尺接合部
４．    合成接合部
５．    長尺接合部
【図１】
2011063006.tif 000003
【図２】
2011063006.tif 000004
【図３】
2011063006.tif 000005
【図４】
2011063006.tif 000006